(57)【特許請求の範囲】
【請求項１】
上部固定金物と下部固定金物とが上下に摺動しかつ固定される機能を有し、上記上部固定金物側面に一側端辺が固定されかつ他端側辺は開放されている複数の仕切板と、上記仕切板間に設けられかつ上端は縦支柱を嵌入させる開口部分を有する縦支柱嵌入部材を垂直方向から水平方向に又はその逆に回動させる機能と、上記縦支柱嵌入部材を垂直に保つかんぬき機能と、から構成されることを特徴とする立坑工事における墜落防止用安全柵。
【発明の詳細な説明】
【０００１】
【発明の属する技術分野】
本発明は、下水道工事、ガス管埋設用トンネル工事、地下鉄用トンネル工事等のような立坑を構築して工事を行う道路工事等において適用される墜落防止用安全柵に関するものである。
【０００２】
【従来の技術】
現在、市街地での下水道工事等の道路工事（以下、下水道工事という。）では、下水道工事に伴う建設公害や建設労働者の不足・高齢化等は重大な問題となっており、下水道工事の一層の合理化・省力化及び安全性の向上等が求められている。
そこで、道路を２０〜４０ｍ間隔で、円形立坑を堀り、その円形立坑間を掘り進みながら下水道管を敷設する方法（ＫＣＭＭ工法）が盛んに採り入れられ、従来の鋼矢板やライナープレートを使った土止め工法に比べて、工期の短縮と安全施工、そして経費の節減に大いに貢献している。
【０００３】
この下水道工事は、略記すれば鋼製の円形ケーシングを道路に油圧で圧入し、掘削を油圧式グラブで行い、発進立坑から到達立坑に向けて横行式推進機で掘り進みながらコンクリート管等の下水道管を敷設し、所要の敷設が終了した場合、使用機器を撤収した後、マンホール用開口部及びそれに連結する必要空間を除きコンクリート打ちして工事を完了するものである。
【０００４】
また、ガス管埋設用トンネル工事、地下鉄用トンネル工事等（以下、トンネル工事と略記する。）では、道路を６０〜７０ｍ間隔で、正方形又は長方形の立坑（以下、矩形立坑という。）を堀り、その発進立坑からカッターで横方向に掘り進み、掘削されたトンネル周辺をコンクリートで固めながら到達立坑まで堀り所望のトンネルを作りトンネル工事を完工するものである。
【０００５】
【発明が解決しようする課題】
下水道工事では、大きな円形立坑の中及び近傍で作業者が仕事をするので、立坑近傍で作業する作業者及び通行人特に夜間での通行人の立坑内への墜落を防止するために、立坑の周りに墜落防止用の安全柵を巡らしていた。
この安全柵は、円形ケーシングの円周方向に適宜な間隔で複数本の支柱（主にパイプ）をセットし、この支柱の下端部分を円形ケーシングの内周面に溶接し縦支柱とする。ついで、この縦支柱間を、適宜な間隔でパイプ等の支柱を蝶番のボルトナットやクランプ等で固定して複数個の横支柱とする。また、工事終了後は、蝶番のボルトナットやクランプ等を緩め複数個の横支柱を取り外し、ついで複数個の縦支柱を下端部をガス切断して縦支柱を取り外して墜落防止用安全柵を撤去していた。
このため、墜落防止用安全柵の取り付け及び撤去作業には、多数の作業人が必要であり、また溶接工・ガス工の手配も必要であり、しかも作業が煩雑でコスト高になっていた。
さらに、縦支柱は撤去の際、ガスで切断されるために工事ごとに新しい縦支柱が必要となっていた。
【０００６】
また、トンネル工事では、大きな矩形立坑の中及び近傍で作業者が仕事をするので、矩形立坑近傍で作業する作業者及び通行人特に夜間での通行人の矩形立坑内への墜落を防止するために、矩形立坑の周りに墜落防止用の安全柵を巡らしていた。
この安全柵は、矩形立坑の四角及び適宜な間隔で、縦支柱を矩形立坑の覆工板に溶接等で固定し、その縦支柱間の上下を上横支柱と下横支柱とで固定し、その上横支柱と下横支柱との間に複数の金網を固定していた。
そして、トンネル工事終了後は、金網を固定していたものを取り除いて金網を取り外し、さらに上横支柱と下横支柱とを縦支柱から取り外し、縦支柱を覆工板から取り除いて墜落防止用安全柵を撤去していた。
このため、墜落防止用安全柵の取り付け及び撤去作業には、多数の作業人が必要であり、しかも作業が煩雑でコスト高になっていた。
また、夜の自動車等の交通のため、矩形立坑に覆工板をかぶせる工事が必要であるが、そのため、その日の工事が終わる度に墜落防止用安全柵を撤去し、また翌日の工事開始には覆工板を取り除き、墜落防止用安全柵を再度組立てから作業開始をしていたため、実際のトンネル工事以外に多くの時間を要していた。
【０００７】
【問題を解決するための手段】
本発明の第一発明は、下端部が立坑に貫入された円形ケーシングの肉厚よりも大きい溝幅で長さ方向に適宜な個所まで二分割されかつ上記溝底からの長さが異なる縦支柱と、上記縦支柱間を固定する横支柱とからなる立坑工事における墜落防止用安全柵である。
【０００８】
つぎに本発明の第二発明は、上部固定金物と下部固定金物とが上下に摺動しかつ固定される機能を有し、上記上部固定金物側面に一側端辺が固定されかつ他端側辺は開放されている複数の仕切板と、上記仕切板間に設けられかつ上端は縦支柱を嵌入させる開口部分を有する縦支柱嵌入部材を垂直方向から水平方向に又はその逆に回動させる機能と、上記縦支柱嵌入部材を垂直に保つかんぬき機能と、から構成される立坑工事における墜落防止用安全柵で、よって上記課題を解決するものである。
【０００９】
【実施例】
本発明の第一発明の実施例を、図１乃至図７を用いて第一実施例として説明する。
図１乃至図４において、１は縦支柱であるパイプ（以下、縦パイプと記す。）、２は縦パイプ１の下端部に切欠かれた断面Ｕ字溝、３は断面Ｕ字溝２で二っ割りにされた半円形の長枝柵、４は断面Ｕ字溝２で二っ割りにされた半円形の短枝柵で、短枝柵４の溝底からの長さは長枝柵３よりも短い。５は縦パイプ１の上端部に設けられた上部貫通溝、６は縦パイプ１の中間部に設けられた中間貫通溝、７は下水道工事用に設けられた立坑に埋め込まれた鋼鉄製の円形ケーシング、８は溝底部に設けられ円形ケーシング７の円周方向に拡がっている左右転倒防止金具、９は上部貫通溝５に固縛されている上部蝶番、１０は上部蝶番９にボルトナット１１で固定されている横支柱であるパイプ（以下、上部横パイプと記す。）、１２は中間貫通溝６に固縛されている中間蝶番、１３は中間蝶番１２にボルトナット１４で固定されている中間横パイプである。なお、Ｗ１は、縦パイプ１の下端部のＵ字溝２の幅、Ｗ２は円形ケーシング７の肉厚で、Ｗ１＞Ｗ２の関係である。
【００１０】
図５は、第一実施例の組立図、図６及び図７は第一実施例のセット図を示すもので、図６は平面図、図７は側面図を示すものである。
図５乃至図７において、縦パイプ１，１，・・・を円形ケーシング７の円周方向に適宜な間隔で下端部のＵ字溝２を利用して垂直に立てる。この場合、長枝柵３が円形ケーシング７の内周面に、一方短枝柵４が円形ケーシング７の外周面に接するように垂直に立てる。
ついで、上部貫通溝５，中間貫通溝６に取り付けられた上部蝶番９，中間蝶番１２のボルトナット１１，１４を介して上部横パイプ１０，１０，・・・、中間横パイプ１３，１３，・・・を固定する。
なお、縦パイプ１，１，・・・の間隔が異なって中間横パイプ１３，１３，・・・が固定されていない長さの部分はチエーン１５で連結する。このチエーン１５の個所は、チエーン１５を取り外して仕事の始業時・終了時等のように作業者の出入口に使用しても良い。
また、下水道工事が終了した工事を撤収する場合は、組立てと逆の作業工程で墜落防止用安全柵の解体作業を行えば良い。
【００１１】
次に、本発明の第二発明の実施例を図８乃至図１７を用いて第二実施例として説明する。
図８は本発明の第二実施例の側面図、図９はその部分拡大側面図、図１０はその部分拡大側面図、図１１は正面図、図１２は平面図、図１３は第二実施例が矩形立坑開口部周辺に立てられた側面図、図１４は矩形立坑開口部周辺に立てられた墜落防止用金網の側面図、図１５は矩形立坑開口部に縦支柱が倒された側面図、図１６は矩形立坑開口部に倒された墜落防止用金網の平面図、図１７は墜落防止用金網上に覆工板を覆った状態の側面図である。
【００１２】
図８乃至図１７において、１６は図示省略の覆工板が振動により左右前後にずれるのを止める覆工板ずれ防止枠、１７は覆工板ずれ防止枠１６を支えるＨ型鋼、１８は上端面がＨ型鋼１７の上板下面に接する上部固定金物、１９は下端のベースプレート２０でＨ型鋼１７の下板上面に接する下部固定金物で、同下部固定金物１９は上部固定金物１８内を上下に摺動する大きさである。２１は上部固定金物１８に一端部が固定された底板、２２は固定ジャッキ用ボルトで、同固定ジャッキ用ボルト２２は底板２１を貫通し、下端はベースプレート２０に固定されている。２３は固定ジャッキ用ボルト２２に螺合された固定ジャッキ用ナットで、同固定ジャッキ用ナットは底板２１の下方に設けられている。２４は底面が底板２１にかつ側面が上部固定金物１８に固定されている補強板、２５は仕切板、２６はかんぬき、２７は縦支柱受パイプ用回転軸、２８は縦支柱である。
【００１３】
次に、仕切板２５、かんぬき２６、縦支柱受パイプ用回転軸２７、縦支柱２８の関係を図１１及び図１２を用いて説明する。
図１１及び図１２に示す第二実施例では、３枚の仕切板２５ａ、２５ｂ、２５ｃは上部固定金物１８にほぼ垂直に固定されている。この仕切板２５ａ、２５ｂの間に縦支柱受パイプ３０ａが、また仕切板２５ｂ、２５ｃの間に縦支柱受パイプ３０ｂが貫入されている。２７は仕切板２５ａ、縦支柱受パイプ３０ａ、仕切板２５ｂ、縦支柱受パイプ３０ｂ、仕切板２５ｃを貫通している回転軸で、回転軸ナット３１ａ、３１ｂで止められている。縦支柱受パイプ３０ａ及び３０ｂには、縦支柱２８ａ及び１８ｂが貫入固定されている。かんぬき２６は、かんぬき固定ボルト２９で回動自在に固定され、かんぬき２６に設けられたかんぬき溝３２と上部固定金物１８に固定されたかんぬき止めボルト３３とで一時止めにしてある。
また、図１４及び図１６に示す３４は墜落防止金網、図１７の３５は覆工板である。
【００１４】
このような第二実施例において、墜落防止用安全柵を設ける場合、矩形立坑開口縁にＨ型鋼１７を設置する。上部固定金物１８と下部固定金物１９とが一体となった固定金物をＨ型鋼１７の上板下面と下板上面との間に挿入する。ついで、固定ジャッキ用ナット２３を固定ジャッキ用ボルト２２まわりにトルクペンチ等で回転させて上部固定金物１８を下部固定金物１９の上方に摺動させて上部固定金物１８の上面と下部固定金物１９の下端のベースプレート２０とでＨ型鋼１７の間にしっかり固定する。回転軸２７の回転軸ナット３１ａ、３１ｂを回転して縦支柱受パイプ３０ａ、３０ｂを垂直方向に固定し、この縦支柱受パイプ３０ａ、３０ｂに縦支柱２８ａ、２８ｂを挿入・固定する。さらに、かんぬき２６のかんぬき溝３２をかんぬき止めボルト３３で止め、縦支柱２８ａ、２８ｂ、縦支柱受パイプ３０ａ、３０ｂが前に倒れるのを防ぐ。この状態で矩形立坑の両側に設けて縦支柱２８を立てる。この状態を図１３に示す。この縦支柱２８、２８間に図１４に示すように墜落防止金網を取り付けて矩形立坑まわりの墜落防止用安全柵とする。
【００１５】
次に、その日のトンネル工事が終了した場合には、次に述べる工程を行う。
まず、かんぬき止めボルト３３からかんぬき溝３２を介してかんぬき２６を取り外し、ついで回転軸ナット３１ａ、３１ｂを回転して緩めて、縦支柱２８を矩形立坑の開口部側に倒し、それとともに縦支柱受パイプ３０も倒す。この状況を図１５及び図１６に示す。この状態で、覆工板３５をＨ型鋼１７の上に覆って矩形立坑の開口部をカバーし工事終了後の交通に備える。
翌日の工事開始時には、覆工板３５を取り除いた後、縦支柱２８及び縦支柱受パイプ３０を垂直に立て、かんぬき２６を掛けて縦支柱２８を垂直に固定し、墜落防止用安全柵を立てて作業を開始する。
【００１６】
【発明の効果】
以上詳述したように，本発明の第一発明によれば，以下に列挙するようなすぐれた効果が得られる。
▲１▼墜落防止用安全柵の組立・解体作業が簡易な工程で行えるので、作業効率が高くなる。
▲２▼墜落防止用安全柵の組立・解体作業には溶接工・ガス工が必要でない。
▲３▼解体時に縦パイプを切断する必要がないので、次の工程以降にも使えコストダウンになる。
▲４▼解体作業のとき、蝶番のボルトナットやクランプ等を緩めて横パイプを縦パイプに並列にセットして運べるので、次の作業場への運搬も容易であり、また組立作業も簡単に行える。
【００１７】
また、本発明の第二発明によれば，以下に列挙するようなすぐれた効果が得られる。
▲１▼墜落防止用安全柵の組立・解体作業が簡易な工程で行えるので、作業効率が高くなる。
▲２▼その日のトンネル工事が終了した場合には、墜落防止用安全柵を矩形立坑の開口部に倒し、その上に覆工板を覆せ、夜の交通に備え、翌日トンネル工事開始する前に覆工板を取り外した後、矩形立坑まわりに墜落防止用安全柵を立てかけるだけで墜落防止用安全柵が出来上がるので、墜落防止用安全柵の組立・撤去作業が簡単に行われ、実際のトンネル工事時間が大幅に稼げる。
▲３▼従来のように矩形立坑の形状に応じて墜落防止用安全柵を変化する必要がなく、Ｈ型鋼間を上部固定金物と下部固定金物とを摺動させて調整した後固定させるだけで良いので、いずれの矩形立坑にたいしても即応性がある。
▲４▼人道に掘った矩形立坑で安全性から覆工板を覆せる必要のない場合には、墜落防止用安全柵の安全金網が人の重量に充分に耐える強度を持っているので、トンネル工事の終了時墜落防止用安全柵を矩形立坑の開口部に倒し、矩形立坑の周りに点滅する電灯をつけたポールとそのポール間に綱を張っただけで良い。その場合には、覆工板を移動させるクレーン等が不要で、また覆工板をカバー・撤去する必要がないので、トンネル工事の作業工事が極めて効率良く出来る。
【図面の簡単な説明】
【図１】本発明の第一実施例の縦パイプの側面図である。
【図２】本発明の第一実施例の縦パイプの正面図である。
【図３】本発明の第一実施例の縦パイプの図２のＩＩＩ−ＩＩＩ線断面図である。
【図４】本発明の第一実施例の蝶番の断面図である。
【図５】本発明の第一実施例の組立側面図である。
【図６】本発明の第一実施例をセットした平面図である。
【図７】本発明の第一実施例のセットした側面図である。
【図８】本発明の第二実施例の側面図である。
図８は本発明の第二実施例の側面図、
【図９】本発明の第二実施例に係る図８の部分拡大側面図である。
【図１０】本発明の第二実施例に係る図９の部分拡大側面図である。
【図１１】本発明の第二実施例の正面図である。
【図１２】本発明の第二実施例の平面図である。
【図１３】本発明の第二実施例が矩形立坑開口部周辺に立てられた側面図である。
【図１４】本発明の第二実施例において矩形立坑開口部周辺に立てられた墜落防止用金網の側面図である。
【図１５】本発明の第二実施例において矩形立坑開口部に縦支柱が倒された側面図である。
【図１６】本発明の第二実施例において矩形立坑開口部上を墜落防止用金網が覆った平面図である。
【図１７】本発明の第二実施例において墜落防止用金網上に覆工板を覆った状態の側面図である。
【符号の説明】
１・・・縦パイプ
２・・・Ｕ字溝
３・・・長枝柵
４・・・短枝柵
５・・・上部貫通溝
６・・・中間貫通溝
７・・・円形ケーシング
８・・・左右転倒防止金具
９・・・上部蝶番
１０・・・上部横パイプ
１１・・・ボルトナット
１２・・・中間蝶番
１３・・・中間横パイプ
１４・・・ボルトナット
１５・・・チエーン
１６・・・覆工板ずれ防止枠
１７・・・Ｈ型鋼
１８・・・上部固定金物
１９・・・下部固定金物
２０・・・ベースプレート
２１・・・底板
２２・・・固定ジャッキ用ボルト
２３・・・固定ジャッキ用ナット
２４・・・補強板
２５・・・仕切板
２６・・・かんぬき
２７・・・縦支柱受パイプ用回転軸
２８・・・縦支柱
２９・・・かんぬき固定ボルト
３０・・・縦支柱受パイプ
３１・・・回転軸ナット
３２・・・かんぬき溝
３３・・・かんぬき止めボルト
３４・・・墜落防止金網
３５・・・覆工板
【図１】
0003567887.tif 000002
【図２】
0003567887.tif 000003
【図３】
0003567887.tif 000004
【図４】
0003567887.tif 000005
【図５】
0003567887.tif 000006
【図６】
0003567887.tif 000007
【図７】
0003567887.tif 000008
【図８】
0003567887.tif 000009
【図９】
0003567887.tif 000010
【図１０】
0003567887.tif 000011
【図１１】
0003567887.tif 000012
【図１２】
0003567887.tif 000013
【図１３】
0003567887.tif 000014
【図１４】
0003567887.tif 000015
【図１５】
0003567887.tif 000016
【図１６】
0003567887.tif 000017
【図１７】
0003567887.tif 000018